(57)【要約】【課題】送信アンテナから受信アンテナへの送信電力の漏れ込みや回り込みを低減すること。【解決手段】片面を金属層７で被覆した板状の電磁波吸収体８が、アンテナ基板（送信アンテナ基板２、受信アンテナ基板４）における送信アンテナ１の形成領域と受信アンテナ３の形成領域との間を仕切るとともに、アンテナ基板とレドーム６との間を塞ぐように設けられている。片面を金属層７で被覆した板状の電磁波吸収体８の一端端面は、接地導体層５と接触している。片面を金属層７で被覆した板状の電磁波吸収体８の他端端面とレドーム６の外面との間には、レドーム部分９が確保される。【選択図】        図１
2005249659.tif 000002
【特許請求の範囲】
【請求項１】
送信アンテナと受信アンテナをそれぞれマイクロストリップアレイアンテナで構成し、このマイクロストリップアレイアンテナを形成したアンテナ基板をレドームで覆う構造のレーダ装置用送受信アンテナにおいて、
片面を金属層で被覆した板状の電磁波吸収体が、アンテナ基板における送信アンテナの形成領域と受信アンテナの形成領域との間を仕切るように、アンテナ基板とレドームとの間の所定位置に設けられている、
ことを特徴とするレーダ装置用送受信アンテナ。
【請求項２】
送信アンテナと受信アンテナをそれぞれマイクロストリップアレイアンテナで構成し、このマイクロストリップアレイアンテナを形成したアンテナ基板をレドームで覆う構造のレーダ装置用送受信アンテナにおいて、
金属層を内包した板状の電磁波吸収体が、アンテナ基板における送信アンテナの形成領域と受信アンテナの形成領域との間を仕切るように、アンテナ基板とレドームとの間の所定位置に設けられている、
ことを特徴とするレーダ装置用送受信アンテナ。
【請求項３】
前記電磁波吸収体は、アンテナ基板とレドームとの間を塞ぐように設けられていることを特徴とする請求項１または２に記載のレーダ装置用送受信アンテナ。
【請求項４】
前記電磁波吸収体は、レドームから適宜長さ垂下して設けられていることを特徴とする請求項１または２に記載のレーダ装置用送受信アンテナ。
【請求項５】
前記電磁波吸収体は、アンテナ基板に適宜長さ直立して設けられていることを特徴とする請求項１または２に記載のレーダ装置用送受信アンテナ。
【請求項６】
前記電磁波吸収体は、レドームから適宜長さ垂下して設けられる電磁波吸収体と、アンテナ基板に適宜長さ直立して設けられる電磁波吸収体とで構成される、
ことを特徴とする請求項１または２に記載のレーダ装置用送受信アンテナ。
【請求項７】
前記電磁波吸収体のレドームとの接合端は、レドームの外面との間にレドーム部分を残してレドーム内に埋設されていることを特徴とする請求項３，４，６のいずれか一つに記載のレーダ装置用送受信アンテナ。
【請求項８】
前記電磁波吸収体のアンテナ基板との接合端は、アンテナ基板の裏面を被覆する接地導体層に接触する形でアンテナ基板内に埋設されていることを特徴とする請求項３，５，６のいずれか一つに記載のレーダ装置用送受信アンテナ。
【発明の詳細な説明】
【技術分野】
【０００１】
この発明は、レーダ装置用送受信アンテナに関し、特にミリ波レーダ装置で用いられる送受信アンテナに関するものである。
【背景技術】
【０００２】
近年、車両の安全走行を支援するシステムでは、車両に搭載するセンサとしてミリ波レーダ装置の実用化が検討されている。このミリ波レーダ装置では、送信アンテナと受信アンテナとがそれぞれ設けられるが、例えば特許文献１に開示されているように、送信アンテナと受信アンテナとをそれぞれマイクロストリップアレイアンテナで構成し、このマイクロストリップアレイアンテナを形成したアンテナ基板をレドームで覆い、アンテナを外界から保護するようにしている。
【０００３】
【特許文献１】特開２００１−１２７５２３号公報
【発明の開示】
【発明が解決しようとする課題】
【０００４】
しかしながら、上記した構成の送受信アンテナでは、送信アンテナに供給された送信電力は、大部分が送信アンテナからレドームを介して外界に放射されるが、送信アンテナを構成するマイクロストリップアレイアンテナの配置パターンや各アンテナ素子の形状パターンの理想的なパターンからのずれが波長に対して無視できない場合が製造精度などによって起こる。また、給電部分の物理的な構造を波長に対して理想的な特性インピーダンスを示す構造にすることが困難であることから、送信アンテナから放射される電磁波や送信アンテナに供給される電力が設計者の意図しない経路で受信アンテナに到達することが起こる。
【０００５】
すなわち、送信アンテナから放射される電磁波がレドームに垂直に入射する場合は、レドームの上端と下端で反射された電磁波が打ち消し合うような位相関係となるようにレドームの厚さを設計しているので問題ないが、レドームに斜め方向から入射する場合は、その入射角度に応じて相殺効果が減少するので、レドームの上端や下端で反射された電磁波が受信アンテナに到達することが起こる。
【０００６】
また、レドームの厚さは送信電磁波の波長に比べて大きいので、レドームの上端で反射された電磁波が下端との間で複数回反射を繰り返しながら伝播した後に受信アンテナに到達することが起こる。さらに、レドームでの反射とは別に、送信アンテナに供給される電力の一部がアンテナ基板上のアンテナパターンからアンテナ基板内を伝播し受信アンテナに到達することが起こる。
【０００７】
このような送信電力の受信側への漏れ込みや回り込みが生ずると、ミリ波レーダ装置では、受信雑音の増加となって現れるので、装置近傍の目標物が観測し難くなる、あるいは観測できなくなるという障害発生の原因になる。
【０００８】
この発明は、上記に鑑みてなされたものであり、送信アンテナから受信アンテナへの送信電力の漏れ込みや回り込みを低減することが可能なレーダ装置用送受信アンテナを得ることを目的とする。
【課題を解決するための手段】
【０００９】
上述した目的を達成するために、この発明は、送信アンテナと受信アンテナをそれぞれマイクロストリップアレイアンテナで構成し、このマイクロストリップアレイアンテナを形成したアンテナ基板をレドームで覆う構造のレーダ装置用送受信アンテナにおいて、片面を金属層で被覆した板状の電磁波吸収体が、アンテナ基板における送信アンテナの形成領域と受信アンテナの形成領域との間を仕切るように、アンテナ基板とレドームとの間の所定位置に設けられていることを特徴とする。
【００１０】
この発明によれば、送信アンテナの送信電力のうちレドームを介して受信アンテナに漏れ込む電力や送信アンテナへの給電電力のうち直接受信アンテナ側に回り込む電力を、片面を金属層で被覆した板状の電磁波吸収体に吸収させ、低減することができる。
【発明の効果】
【００１１】
この発明によれば、送信アンテナから受信アンテナへの送信電力の漏れ込みや回り込みを低減することができるので、受信アンテナでの受信パターンの乱れを少なくすることができ、受信特性を改善することができるという効果を奏する。
【発明を実施するための最良の形態】
【００１２】
以下に図面を参照して、この発明にかかるレーダ装置用送受信アンテナの好適な実施の形態を詳細に説明する。
【００１３】
実施の形態１．
図１は、この発明の実施の形態１であるレーダ装置用送受信アンテナの構成を示す概念断面図である。図１に示すように、この実施の形態１では、アンテナ基板は、送信アンテナ１が形成されている送信アンテナ基板２と、受信アンテナ３が形成されている受信アンテナ基板４とに分離されているが、送信アンテナ基板２と受信アンテナ基板４は、それらの背面を一体的に被覆する接地導体層５によって連結されている。そして、送信アンテナ基板１と受信アンテナ基板３の表面側外周囲は、レドーム６で覆われている。
【００１４】
送信アンテナ１と受信アンテナ３をそれぞれ構成するマイクロストリップアレイアンテナは、図示してないが、それぞれ、円形状や矩形状に形成したアンテナ素子（パッチアンテナ）の複数個を所定の態様（パターン）で配置し、それらをストリップ線路で接続して給電点に導入するように構成されている。
【００１５】
送信アンテナ基板２の内端と受信アンテナ基板４の内端との間には、片面（図１では受信アンテナ側の面）を金属層７で被覆した板状の電磁波吸収体８の一端がその一端面を接地導体層５に接触させた状態で嵌め込まれている。また、この片面を金属層７で被覆した板状の電磁波吸収体８の他端は、その他端面とレドーム６の外面との間にレドーム部分９を残してレドーム６内に埋設されている。つまり、レドーム６は、防滴構造を維持するようになっている。
【００１６】
ここで、電磁波吸収体８は、電磁波を吸収する特性を持つ素材、例えばカーボンや酸化鉄を樹脂で固めて形成される。電磁波吸収体８の厚さは、通過する電磁波を吸収し反対側に漏れ出す電磁波の勢力が無視できる程度となっている。また、金属層７は、電磁波吸収体８の片面に接着した金属板、または蒸着ないしはメタライズした金属膜である。
【００１７】
次に、図２を参照して、この実施の形態１によるレーダ装置用送受信アンテナおける受信側への送信電力の漏れ込みや回り込みを低減する作用を説明する。図２は、図１に示すレーダ装置用送受信アンテナにて実現される受信側への送信電力の漏れ込みや回り込みを低減する作用を説明する図である。
【００１８】
図２において、送信アンテナ１から放射される電磁波のうち、レドーム６の受信アンテナ３側に向かう電磁波１１は、電磁波吸収体８内を電磁波吸収１２を受けて減衰しながら金属層７に向かって進行し、金属層７に突き当たると、金属層７に誘導電流１３を発生させさらに減衰する。この誘導電流１３は接地導体層５に流れる。これによって、金属層７が励振されることで受信アンテナ３側に放射される電磁波１４の勢力は大幅に弱まる。
【００１９】
なお、図２では示してないが、金属層７が励振されることで電磁波吸収体８に向かって放射される電磁波は、電磁波吸収体８内を電磁波吸収を受けて減衰しながら伝播する。電磁波吸収体８から送信アンテナ１側に放射される電磁波の勢力は大幅に弱まっているので、送信アンテナ１の放射パターンに与える影響は無視できる程度に小さい。
【００２０】
また、図２では示してないが、送信アンテナ１から放射される電磁波のうち、レドーム６の送信アンテナ１側における内面や外面で反射して受信アンテナ３側に向かう電磁波も同様に、電磁波吸収体８と金属層７の上記した作用によって減衰させられる。また、レドーム６内で多重反射しながら受信アンテナ３側に向かって伝播する電磁波も、レドーム６内に埋設された電磁波吸収体８と金属層７の上記した作用によって減衰させられる。さらに、送信アンテナ基板２から受信アンテナ基板４に向かう送信電力は、送信アンテナ基板２と受信アンテナ基板４との間に介在する電磁波吸収体８と金属層７の上記した作用によって減衰させられる。
【００２１】
そして、金属層７は、送信アンテナ１側に設けるようにしても良い。この場合は、図２を用いて説明すると、送信アンテナ１から放射される電磁波のうち、レドーム６の受信アンテナ３側に向かう電磁波１１は、まず、金属層７に突き当たり、その後、電磁波吸収体８で吸収を受けるが、金属層７での反射波が送信アンテナ１の放射パターンに影響を与えるおそれがある。しかし、受信アンテナ３側への送信電力の漏れ込みや回り込みは、同様に大幅に低減することができる。
【００２２】
ここで、図２の説明では、電磁波吸収体８での反射については、議論していないが、例えば次のようにして電磁波吸収体８での反射量を抑制する措置を講ずることができ、結果として電磁波吸収体８の厚さを定めることもできる。ここでは、２つの方法を説明する。
【００２３】
図３は、電磁波吸収体への入射角と整合厚（電磁波吸収体の厚さ）との関係を説明する図である。図４は、図３に示す反射率と周波数との関係を示す特性図である。図３に示すように、電磁波吸収体８の表面にある角度θで入射する電磁波１６は、反射波１７と透過波１８とに別れるが、反射波１７や透過波１８には、電磁波吸収体８の内部で多重反射を繰り返した後に漏れ出したものも含まれている。
【００２４】
電磁波吸収体８内で多重反射してから出て行く反射波１７の量は、図４に示すように、周波数ｆに依存し、最小となる周波数範囲１９が存在する。このときの電磁波吸収体８の厚さｄは整合厚と称され、比誘電率εｒ、波長λを用いて、式（１）のように示される。
ｄ＝ｎλ／（√（εｒ−Ｓｉｎ2θ））    ・・・（１）
したがって、電磁波吸収体８の厚さｄを操作をすることにより、電磁波吸収体８内で多重反射してから反射波１７として出て行く量を減らすことができる。
【００２５】
次に、図５は、電磁波吸収体での反射波を抑制する他の方法を説明する図である。図５において、電磁波吸収体８内を進行し金属層７で反射して出てくる反射波２１の位相と、電磁波吸収体８の表面での反射波２２の位相とが逆相の関係であれば、相殺されるので、電磁波吸収体での反射波を抑制することができる。このときの電磁波吸収体の厚さｄは、比誘電率εｒ、比透磁率μｒ、波長λを用いて、式（２）のように示される。
ｄ＝λ／（４√（εｒ×μｒ））    ・・・（２）
そして、εｒ＝１、μｒ＝１とすれば、式（２）は、ｄ≒λ／４となる。
【００２６】
このように、実施の形態１によれば、片面を金属層で被覆した板状の電磁波吸収体を、送信アンテナと受信アンテナをそれぞれ構成するマイクロストリップアレイアンテナの形成領域を仕切るとともに、アンテナ基板（送信アンテナ基板、受信アンテナ基板）とレドームとの間を塞ぐように設けてあるので、受信アンテナ側への送信電力の漏れ込みや回り込みを大幅に低減することができる。したがって、受信アンテナでの受信パターンの乱れを少なくすることができ、受信特性を改善することができる。
【００２７】
実施の形態２．
図６は、この発明の実施の形態２であるレーダ装置用送受信アンテナの構成を示す概念断面図である。なお、図６では、図１（実施の形態１）に示した構成要素と同一ないしは同等である構成要素には同一の符号が付されている。ここでは、実施の形態２に関わる部分を中心に説明する。
【００２８】
すなわち、図６に示すように、この実施の形態２では、図１（実施の形態１）に示した構成において、片面を金属層７で被覆した板状の電磁波吸収体８に代えて、２つの電磁波吸収体３１，３２を金属層３３を介して一体化した板状の電磁波吸収体３４が設けられている。つまり、電磁波吸収体３４は、金属層３３を内包している。
【００２９】
次に、図７を参照して、この実施の形態２によるレーダ装置用送受信アンテナおける受信側への送信電力の漏れ込みや回り込みを低減する作用を説明する。図７は、図６に示すレーダ装置用送受信アンテナにて実現される受信側への送信電力の漏れ込みや回り込みを低減する作用を説明する図である。
【００３０】
図７において、送信アンテナ１から放射される電磁波のうち、受信アンテナ３側に向かう電磁波３５は、電磁波吸収体３２内を電磁波吸収３６を受けて減衰しながら金属層３３に向かって進行し、金属層３３に突き当たると、金属層３３に誘導電流３７を発生させさらに減衰する。この誘導電流３７は接地導体層５に流れる。そして、金属層３３が励振されることで電磁波吸収体３１に向かって放射される電磁波は、電磁波吸収体３１内を電磁波吸収３８を受けて減衰しながら伝播する。
【００３１】
これによって、電磁波吸収体３１から受信アンテナ３側に放射される電磁波３９の勢力は大幅に弱まる。受信アンテナ３側に電磁波吸収体３４から漏れ込む電磁波の勢力（実際の漏れ電力）は、送信側から受信側に向かう元々の漏洩電力から数１０ｄＢ減衰していると想定される。
【００３２】
なお、図７では示してないが、金属層３３が励振されることで電磁波吸収体３２に向かって放射される電磁波は、電磁波吸収体３２内を電磁波吸収を受けて減衰しながら伝播する。電磁波吸収体３２から送信アンテナ１側に放射される電磁波の勢力は大幅に弱まっているので、送信アンテナ１の放射パターンに与える影響は無視できる程度に小さい。
【００３３】
また、図７では示してないが、送信アンテナ１から放射される電磁波のうち、レドーム６の内面や外面で反射して受信アンテナ３側に向かう電磁波も、同様に、電磁波吸収体３１，３２と金属層３３の上記した作用によって減衰させられる。また、レドーム６内で多重反射しながら受信アンテナ３側に向かって伝播する電磁波も、レドーム６内に埋設された電磁波吸収体３１，３２と金属層３３の上記した作用によって減衰させられる。さらに、送信アンテナ基板２から受信アンテナ基板４に向かう送信電力は、送信アンテナ基板２と受信アンテナ基板４との間に介在する電磁波吸収体３１，３２と金属層３３の上記した作用によって減衰させられる。
【００３４】
このように、実施の形態２によれば、金属層を内包した板状の電磁波吸収体を、送信アンテナと受信アンテナをそれぞれ構成するマイクロストリップアレイアンテナの形成領域を仕切るとともに、アンテナ基板（送信アンテナ基板、受信アンテナ基板）とレドームとの間を塞ぐように設けてあるので、受信アンテナ側への送信電力の漏れ込みや回り込みを大幅に低減することができる。したがって、実施の形態１と同様に、受信アンテナでの受信パターンの乱れを少なくすることができ、受信特性を改善することができる。
【００３５】
実施の形態３．
図８は、この発明の実施の形態３であるレーダ装置用送受信アンテナの構成を示す概念断面図である。なお、図８では、図１（実施の形態１）に示した構成要素と同一ないしは同等である構成要素には同一の符号が付されている。ここでは、実施の形態３に関わる部分を中心に説明する。
【００３６】
すなわち、図８に示すように、この実施の形態３では、送信アンテナ１と受信アンテナ２とを同一のアンテナ基板４１上に形成し、送信アンテナ１と受信アンテナ２とを仕切るように、その仕切りライン位置に対応するレドーム６の位置に、片面（図８では受信アンテナ側の面）を金属層４２で被覆した板状の電磁波吸収体４３が適宜長さ垂下して設けられている。そして、片面を金属層４２で被覆した板状の電磁波吸収体４３の埋設端端面とレドーム６の外面との間にレドーム部分９を設け、レドーム６の防滴構造を維持するようになっている。
【００３７】
この構成によれば、送信アンテナ１から放射される電磁波のうち、レドーム６の送信アンテナ側における内面や外面で反射して受信アンテナ３側に向かう電磁波は、レドーム６から垂下する、片面を金属層４２で被覆した板状の電磁波吸収体４３によって吸収され、減衰する。
【００３８】
また、送信アンテナ１から放射される電磁波のうち、レドーム６の受信アンテナ側に向かう電磁波の一部もレドーム６から垂下する、片面を金属層４２で被覆した板状の電磁波吸収体４３によって吸収され、減衰する。
【００３９】
レドーム６の送信アンテナ側で反射して受信アンテナ３側に向かう電磁波の入射角度は、送信アンテナ１の放射パターンやレドーム６の形状などから想定することができる。またレドーム６の受信アンテナ側に向かう電磁波の勢力は、送信アンテナ１の放射パターンなどから想定することができる。
【００４０】
したがって、片面を金属層４２で被覆した板状の電磁波吸収体４３の垂下長を、上記のように想定した入射角度に応じて定めれば、また、レドーム６の受信アンテナ側に向かう電磁波と干渉する長さに定めれば、レドーム６で反射して受信アンテナ３側に漏れ込む電力を大幅に減らすことができる。
【００４１】
また、レドーム６内で多重反射しながら受信アンテナ３側に向かって伝播する電磁波も、レドーム６内に埋設された片面を金属層４２で被覆した板状の電磁波吸収体４３によって減衰させられる。
【００４２】
なお、金属層４２は、送信アンテナ１側に設けるようにしても良い。この場合は、レドーム６で反射して受信アンテナ３側に向かう電磁波は、まず、金属層４２に突き当たり、その後、電磁波吸収体４３で吸収を受けるが、金属層４２での反射波が送信アンテナ１の放射パターンに影響を与えるおそれがある。しかし、受信アンテナ３側への送信電力の漏れ込みは、同様に大幅に低減することができる。また、金属層４２は、適宜接地されていてもよい。
【００４３】
このように、実施の形態３によれば、片面を金属層で被覆した板状の電磁波吸収体を、送信アンテナと受信アンテナをそれぞれ構成するマイクロストリップアレイアンテナの形成領域を仕切る位置に対応したレドーム６の位置に適宜長さ垂下して設けたので、レドームを介して受信アンテナに漏れ込む電力を大幅に減らすことができる。したがって、受信アンテナでの受信パターンの乱れを少なくすることができ、受信特性を改善することができる。
【００４４】
実施の形態４．
図９は、この発明の実施の形態４であるレーダ装置用送受信アンテナの構成を示す概念断面図である。なお、図９では、図１（実施の形態１）に示した構成要素と同一ないしは同等である構成要素には同一の符号が付されている。ここでは、実施の形態４に関わる部分を中心に説明する。
【００４５】
すなわち、図９に示すように、この実施の形態４では、送信アンテナ基板２の内端と受信アンテナ基板４の内端との間に、片面（図９では受信アンテナ側の面）を金属層４４で被覆した板状の電磁波吸収体４５を適宜長さ直立して設けられている。片面を金属層４４で被覆した板状の電磁波吸収体４５は、その埋設端端面を接地導体層５に接触させた状態で嵌め込まれている。
【００４６】
この構成によれば、送信アンテナ１から放射される電磁波のうち、レドーム６の受信アンテナ側に向かう電磁波の一部が、アンテナ基板（送信アンテナ基板２、受信アンテナ基板４）に立設した、片面を金属層４４で被覆した板状の電磁波吸収体４５によって吸収され、減衰する。レドーム６の受信アンテナ側に向かう電磁波の勢力は、送信アンテナ１の放射パターンなどから想定することができる。したがって、アンテナ基板（送信アンテナ基板２、受信アンテナ基板４）に立設した、片面を金属層４４で被覆した板状の電磁波吸収体４５の立設長を、レドーム６の受信アンテナ側に向かう電磁波と干渉する長さに定めれば、受信アンテナ３側に漏れ込む電力を大幅に減らすことができる。
【００４７】
また、送信アンテナ基板２から受信アンテナ基板４に向かう送信電力は、送信アンテナ基板２と受信アンテナ基板４との間に介在する、片面を金属層４４で被覆した板状の電磁波吸収体４５によって減衰させられる。
【００４８】
なお、金属層４４は、送信アンテナ１側に設けるようにしても良い。この場合は、レドーム６で反射して受信アンテナ３側に向かう電磁波は、まず、金属層４４に突き当たり、その後、電磁波吸収体４５で吸収を受けるが、金属層４４での反射波が送信アンテナ１の放射パターンに影響を与えるおそれがある。しかし、受信アンテナ３側への送信電力の漏れ込みは、同様に大幅に低減することができる。
【００４９】
このように、実施の形態４によれば、片面を金属層で被覆した板状の電磁波吸収体を、送信アンテナと受信アンテナをそれぞれ構成するマイクロストリップアレイアンテナの形成領域を仕切る位置に適宜長さ立設して設けたので、送信アンテナ１から放射される電磁波のうちレドームの受信アンテナ側に向かう電磁波の一部を吸収・減衰させることができ、その結果レドームを介して受信アンテナに漏れ込む電力を減らすことができる。また、送信アンテナ基板から受信アンテナ基板に回り込む電力も減らすことができる。したがって、受信アンテナでの受信パターンの乱れを少なくすることができ、受信特性を改善することができる。
【００５０】
実施の形態５．
図１０は、この発明の実施の形態５であるレーダ装置用送受信アンテナの構成を示す概念断面図である。この実施の形態５では、実施の形態３（図８）と実施の形態４（図９）とを合体した構成例が示されている。
【００５１】
すなわち、図１０に示すように、この実施の形態５では、実施の形態３（図８）にて示したように、送信アンテナ１と受信アンテナ２とを仕切るように、その仕切りライン位置に対応するレドーム６の位置に、片面（図１０では受信アンテナ側の面）を金属層４２で被覆した板状の電磁波吸収体４３が適宜長さ垂下して設けられている。そして、片面を金属層４２で被覆した板状の電磁波吸収体４３の埋設端端面とレドーム６の外面との間にレドーム部分９を設け、レドーム６の防滴構造を維持するようになっている。
【００５２】
また、図１０に示すように、この実施の形態５では、実施の形態４（図９）にて示したように、送信アンテナ基板２の内端と受信アンテナ基板４の内端との間に、片面（図１０では受信アンテナ側の面）を金属層４４で被覆した板状の電磁波吸収体４５を適宜長さ直立して設けられている。片面を金属層４４で被覆した板状の電磁波吸収体４５は、その埋設端端面を接地導体層５に接触させた状態で嵌め込まれている。
【００５３】
そして、金属層４２，４４は、送信アンテナ１側に設けるようにしても良い。
【００５４】
この構成によれば、実施の形態３と実施の形態４で得られる作用・効果を一度に得ることができる。すなわち、実施の形態５によれば、レドームを介して受信アンテナに漏れ込む電力を大幅に減らすことができる。また、送信アンテナ基板２から受信アンテナ基板４に回り込む電力も減らすことができる。
【００５５】
なお、実施の形態３〜５では、実施の形態１にて示したような片面を金属層で被覆した板状の電磁波吸収体を用いた例を示したが、実施の形態２にて示したような金属層を内包した板状の電磁波吸収体も同様に用いることができることは言うまでもない。
【産業上の利用可能性】
【００５６】
以上のように、この発明にかかるレーダ装置用送受信アンテナは、送信側から受信側に漏れ込む電力、ないしは回り込む電力を低減するのに有用であり、特に、目標物の検出精度が雑音に影響されるミリ波レーダにて用いるのに適している。
【図面の簡単な説明】
【００５７】
【図１】この発明の実施の形態１であるレーダ装置用送受信アンテナの構成を示す概念断面図である。
【図２】図１に示すレーダ装置用送受信アンテナにて実現される受信側への送信電力の漏れ込みや回り込みを低減する作用を説明する図である。
【図３】電磁波吸収体への入射角と整合厚（電磁波吸収体の厚さ）との関係を説明する図である。
【図４】図３に示す反射率と周波数との関係を示す特性図である。
【図５】電磁波吸収体での反射波を抑制する他の方法を説明する図である。
【図６】この発明の実施の形態２であるレーダ装置用送受信アンテナの構成を示す概念断面図である。
【図７】図６に示すレーダ装置用送受信アンテナにて実現される受信側への送信電力の漏れ込みや回り込みを低減する作用を説明する図である。
【図８】この発明の実施の形態３であるレーダ装置用送受信アンテナの構成を示す概念断面図である。
【図９】この発明の実施の形態４であるレーダ装置用送受信アンテナの構成を示す概念断面図である。
【図１０】この発明の実施の形態５であるレーダ装置用送受信アンテナの構成を示す概念断面図である。
【符号の説明】
【００５８】
１  送信アンテナ基板
２  送信アンテナ
３  受信アンテナ基板
４  受信アンテナ
５  接地導体層
６  レドーム
７，３３，４２，４４  金属層
８，３１，３２，４３，４５  電磁波吸収体
９  レドーム部分
３４  金属層を内包した電磁波吸収体
４１  アンテナ基板
【図１】
2005249659.tif 000003
【図２】
2005249659.tif 000004
【図３】
2005249659.tif 000005
【図４】
2005249659.tif 000006
【図５】
2005249659.tif 000007
【図６】
2005249659.tif 000008
【図７】
2005249659.tif 000009
【図８】
2005249659.tif 000010
【図９】
2005249659.tif 000011
【図１０】
2005249659.tif 000012